(57)【特許請求の範囲】
【請求項１】
コルゲートチューブを保持するための保持具であって、
コルゲートチューブを収容する空間を画成可能な複数の保持部材と、
前記空間の軸線方向に延びる第１板部、及び、前記第１板部に交差する方向に前記第１板部から突出する第２板部、を有する保持片と、を備え、
前記複数の保持部材は、
コルゲートチューブを前記空間の軸線方向に移動不能に保持可能な保持構造を有する第１保持部材、及び、前記保持構造を有さない第２保持部材、を含み、
前記保持片は、
前記第２保持部材から前記空間内に突出し且つ前記第２保持部材に前記第１板部が繋がるように設けられ、
前記第２保持部材が、
前記保持片の前記第２板部に沿って前記空間の軸線方向に延びる開口部を有し、
前記保持片が、
前記第１板部を挟んで逆方向に突出する２つの前記第２板部であって、前記第２保持部材の内壁面に向かい合う面の色が互いに異なる２つの前記第２板部、を有し、
前記第２保持部材が、
一方の前記第２板部に対応する前記開口部と、他方の前記第２板部に対応する前記開口部と、を有する、
コルゲートチューブ保持具。
【請求項２】
コルゲートチューブを保持するための保持具であって、
コルゲートチューブを収容する空間を画成可能な複数の保持部材と、
前記空間の軸線方向に延びる第１板部、及び、前記第１板部に交差する方向に前記第１板部から突出する第２板部、を有する保持片と、を備え、
前記複数の保持部材は、
コルゲートチューブを前記空間の軸線方向に移動不能に保持可能な保持構造を有する第１保持部材、及び、前記保持構造を有さない第２保持部材、を含み、
前記保持片は、
前記第２保持部材から前記空間内に突出し且つ前記第２保持部材に前記第１板部が繋がるように設けられ、
前記第２保持部材が、
前記保持片の前記第２板部に沿って前記空間の軸線方向に延びる開口部を有し、
前記保持片が、
前記第２保持部材の内壁面に向かい合う面に光を反射可能な光反射層を有する前記第２板部を有する、
コルゲートチューブ保持具。
【請求項３】
コルゲートチューブと、前記コルゲートチューブを保持するための保持具と、を備えた保持具付きコルゲートチューブであって、
前記保持具は、
前記コルゲートチューブを収容する空間を画成可能な複数の保持部材と、
前記空間の軸線方向に延びる第１板部、前記第１板部に交差する方向に前記第１板部から突出する第２板部、及び、前記第１板部が延びる方向に沿って前記第１板部からの距離が徐々に大きくなる傾斜面を有するように前記第１板部から突出する傾斜突起部、を有する保持片と、を備え、
前記コルゲートチューブは、
該コルゲートチューブの長さ方向に沿ったスリットと、
該コルゲートチューブの端部において前記スリットが前記傾斜突起部の傾斜面に対応する形状を有するように広がったスリット拡大部と、を備え、
前記複数の保持部材は、
前記コルゲートチューブを前記空間の軸線方向に移動不能に保持可能な保持構造を有する第１保持部材、及び、前記保持構造を有さない第２保持部材、を含み、
前記保持片は、
前記第２保持部材から前記空間内に突出し且つ前記第２保持部材に前記第１板部が繋がるように設けられる、
と共に、
前記コルゲートチューブの前記スリット拡大部に前記保持片の前記傾斜突起部が挟まれた状態にて、前記コルゲートチューブが前記保持具に保持される、
保持具付きコルゲートチューブ。
【発明の詳細な説明】
【技術分野】
【０００１】
本発明は、コルゲートチューブ保持具、及び、コルゲートチューブ保持具がコルゲートチューブに取り付けられた保持具付きコルゲートチューブに関する。
【背景技術】
【０００２】
従来から、コルゲートチューブを保持する保持具（「プロテクタ」ともいう。）が提案されている。この種の保持具は、一般に、コルゲートチューブの外周面の凹部と保持具の内壁面に設けた凸部とを係合させることにより、コルゲートチューブを保持具から外れないように（抜けないように）保持している。ところが、コルゲートチューブに外力が及んだ場合等において、コルゲートチューブのスリットの両端面がオフセットすると、コルゲートチューブのチューブ径が小さくなり（細くなり）、保持具からコルゲートチューブが外れる（抜ける）虞がある。このようなコルゲートチューブの外れ（以下「コルゲートチューブ抜け」という。）は、出来る限り確実に防止されることが望ましい。
【０００３】
例えば、従来の保持具の一つ（以下「従来保持具」という。）は、コルゲートチューブ抜けを防ぐため、保持具の内壁面からコルゲートチューブに向かって突出する薄板状の突起を設け、この突起をコルゲートチューブのスリットに挿入するようになっている。この突起によってスリットの両端面のオフセットが抑制され、コルゲートチューブ抜けが防止されることになる（例えば、特許文献１を参照。）。
【先行技術文献】
【特許文献】
【０００４】
【特許文献１】特開２０１４−９９９７６号公報
【発明の概要】
【発明が解決しようとする課題】
【０００５】
従来保持具では、突起が保持具の内壁面に設けられているため、内壁面に設けられたコルゲートチューブ係止用の凸部とコルゲートチューブとの干渉を避けながら、突起をコルゲートチューブのスリットに挿入する必要がある。そのため、従来保持具をコルゲートチューブに取り付ける作業が煩雑となると考えられる。このような煩雑さは、同作業の効率を低下させる原因となり得る。
【０００６】
本発明は、上述した事情に鑑みてなされたものであり、その目的は、コルゲートチューブへの容易な取り付け及びコルゲートチューブ抜けの防止を両立可能なコルゲートチューブ保持具、及び、コルゲートチューブとコルゲートチューブ保持具との容易な組み付け及びコルゲートチューブ抜けの防止を両立可能な保持具付きコルゲートチューブ、を提供することにある。
【課題を解決するための手段】
【０００７】
前述した目的を達成するために、本発明に係るコルゲートチューブ保持具は、下記（１）〜（２）を特徴としている。
（１）
コルゲートチューブを保持するための保持具であって、
コルゲートチューブを収容する空間を画成可能な複数の保持部材と、
前記空間の軸線方向に延びる第１板部、及び、前記第１板部に交差する方向に前記第１板部から突出する第２板部、を有する保持片と、を備え、
前記複数の保持部材は、
コルゲートチューブを前記空間の軸線方向に移動不能に保持可能な保持構造を有する第１保持部材、及び、前記保持構造を有さない第２保持部材、を含み、
前記保持片は、
前記第２保持部材から前記空間内に突出し且つ前記第２保持部材に前記第１板部が繋がるように設けられ、
前記第２保持部材が、
前記保持片の前記第２板部に沿って前記空間の軸線方向に延びる開口部を有し、
前記保持片が、
前記第１板部を挟んで逆方向に突出する２つの前記第２板部であって、前記第２保持部材の内壁面に向かい合う面の色が互いに異なる２つの前記第２板部、を有し、
前記第２保持部材が、
一方の前記第２板部に対応する前記開口部と、他方の前記第２板部に対応する前記開口部と、を有する、
コルゲートチューブ保持具であること。
（２）
コルゲートチューブを保持するための保持具であって、
コルゲートチューブを収容する空間を画成可能な複数の保持部材と、
前記空間の軸線方向に延びる第１板部、及び、前記第１板部に交差する方向に前記第１板部から突出する第２板部、を有する保持片と、を備え、
前記複数の保持部材は、
コルゲートチューブを前記空間の軸線方向に移動不能に保持可能な保持構造を有する第１保持部材、及び、前記保持構造を有さない第２保持部材、を含み、
前記保持片は、
前記第２保持部材から前記空間内に突出し且つ前記第２保持部材に前記第１板部が繋がるように設けられ、
前記第２保持部材が、
前記保持片の前記第２板部に沿って前記空間の軸線方向に延びる開口部を有し、
前記保持片が、
前記第２保持部材の内壁面に向かい合う面に光を反射可能な光反射層を有する前記第２板部を有する、
コルゲートチューブ保持具であること。
【０００８】
上記（１）及び（２）の構成のコルゲートチューブ保持具（以下、単に「保持具」ともいう。）によれば、保持構造を有さない第２保持部材に設けられた保持片にコルゲートチューブを取り付けた後、第２保持部材とコルゲートチューブとを一緒に第１保持部材に組み付けることができる。そのため、従来保持具のような干渉を考慮することなく、保持具をコルゲートチューブに取り付けられる。よって、従来保持具に比べ、保持具をコルゲートチューブに取り付ける作業を容易にできる。
【０００９】
更に、第２保持部材と第１保持部材との組み付けによってコルゲートチューブを保持部材が画成する空間（以下「収容空間」という。）に収容すれば、第１保持部材が有する保持構造により、コルゲートチューブが保持される。よって、従来保持具と同様、保持片によってコルゲートチューブ抜けを防ぎつつ、コルゲートチューブを保持できる。
【００１０】
したがって、本構成のコルゲートチューブ保持具は、コルゲートチューブへの容易な取り付け及びコルゲートチューブ抜けの防止を両立できる。
【００１１】
加えて、本構成のコルゲートチューブ保持具は、保持片の位置を調整することによってコルゲートチューブのスリット位置（開口方向）を任意に調整できる。これにより、例えば、保持具を車両等に固定した際にコルゲートチューブのスリットが上向きに開口しない（例えば、横向き又は下向きに開口する）ようにすれば、異物がスリットを通じてコルゲートチューブ内に入ることを防止できる。
【００１４】
上記（１）の構成のコルゲートチューブ保持具によれば、一方の開口部を通じて一方の第２板部を視認可能であり、他方の開口部を通じて他方の第２板部を視認可能となる。これら２つの第２板部の視認される側の面（第２保持部材の内壁面に向かい合う面）は色が異なるため、仮に一方の色がコルゲートチューブと同じであっても、他方の色がコルゲートチューブと異なることになる。よって、コルゲートチューブの色にかかわらず、少なくとも一方の開口部を通じてコルゲートチューブの有無（ひいては、コルゲートチューブの保持具内への挿入量）を確認できる。よって、コルゲートチューブ抜けをより確実に防止できる。
【００１５】
上記（２）の構成のコルゲートチューブ保持具によれば、保持片の第２板部が光反射層を有するため、検出装置（例えば、レーザ光を開口部を通じて第２板部に照射すると共に、レーザ光の反射の度合いによってコルゲートチューブの有無を検出する装置）等を用いることにより、コルゲートチューブの有無の確認を自動化できる。
【００１６】
更に、前述した目的を達成するために、本発明に係る保持具付きコルゲートチューブは、下記（３）を特徴としている。
（３）
コルゲートチューブと、前記コルゲートチューブを保持するための保持具と、を備えた保持具付きコルゲートチューブであって、
前記保持具は、
前記コルゲートチューブを収容する空間を画成可能な複数の保持部材と、
前記空間の軸線方向に延びる第１板部、前記第１板部に交差する方向に前記第１板部から突出する第２板部、及び、前記第１板部が延びる方向に沿って前記第１板部からの距離が徐々に大きくなる傾斜面を有するように前記第１板部から突出する傾斜突起部、を有する保持片と、を備え、
前記コルゲートチューブは、
該コルゲートチューブの長さ方向に沿ったスリットと、
該コルゲートチューブの端部において前記スリットが前記傾斜突起部の傾斜面に対応する形状を有するように広がったスリット拡大部と、を備え、
前記複数の保持部材は、
前記コルゲートチューブを前記空間の軸線方向に移動不能に保持可能な保持構造を有する第１保持部材、及び、前記保持構造を有さない第２保持部材、を含み、
前記保持片は、
前記第２保持部材から前記空間内に突出し且つ前記第２保持部材に前記第１板部が繋がるように設けられる、
と共に、
前記コルゲートチューブの前記スリット拡大部に前記保持片の前記傾斜突起部が挟まれた状態にて、前記コルゲートチューブが前記保持具に保持される、
保持具付きコルゲートチューブであること。
【００１７】
上記（３）の構成の保持具付きコルゲートチューブによれば、保持構造を有さない第２保持部材に設けられた保持片にコルゲートチューブを取り付けた後、第２保持部材とコルゲートチューブとを一緒に第１保持部材に組み付けることができる。更に、このとき、コルゲートチューブのスリット拡大部に保持具の傾斜突起部を挿入するように取り付けを行えば、コルゲートチューブが傾斜突起部の傾斜面に案内されるため、取り付けが容易になる。そのため、従来保持具のような干渉を考慮することなく、保持具をコルゲートチューブに取り付けられる。よって、従来保持具を用いた保持具付きコルゲートチューブに比べ、保持具をコルゲートチューブに取り付ける作業を容易にできる。
【００１８】
更に、第２保持部材と第１保持部材との組み付けによってコルゲートチューブを収容空間に収容すれば、第１保持部材が有する保持構造により、コルゲートチューブが保持される。よって、従来保持具を用いた保持具付きコルゲートチューブと同様、保持片によってコルゲートチューブ抜けを防ぎつつ、コルゲートチューブを保持できる。
【００１９】
したがって、本構成の保持具付きコルゲートチューブは、コルゲートチューブと保持具との容易な組み付け及びコルゲートチューブ抜けの防止を両立できる。
【００２０】
加えて、本構成の保持具付きコルゲートチューブは、保持片の位置を調整することによってコルゲートチューブのスリット位置（開口方向）を任意に調整できる。これにより、例えば、保持具を車両等に固定した際にコルゲートチューブのスリットが上向きに開口しない（例えば、横向き又は下向きに開口する）ようにすれば、異物がスリットを通じてコルゲートチューブ内に入ることを防止できる。
【発明の効果】
【００２１】
本発明によれば、コルゲートチューブへの容易な取り付け及びコルゲートチューブ抜けの防止を両立可能なコルゲートチューブ保持具を提供できる。
【００２２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２３】
【図１】図１は、第１実施形態に係るコルゲートチューブ保持具を説明する概略図であって、図１（ａ）〜図１（ｃ）は同保持具にコルゲートチューブが保持される様子を説明する概略図である。
【図２】図２は、第１実施形態に係る保持具の斜視図である。
【図３】図３は、第１実施形態に係る保持具の正面図である。
【図４】図４は、図３におけるＡ−Ａ断面図である。
【図５】図５は、第１実施形態に係る保持具へコルゲートチューブを取り付ける工程を説明する図であって、図５（ａ）は保持具の正面図、図５（ｂ）は図５（ａ）のＢ−Ｂ断面図である。
【図６】図６は、第１実施形態に係る保持具へコルゲートチューブを取り付ける工程を説明する図であって、図６（ａ）は保持具の正面図、図６（ｂ）は図６（ａ）のＣ−Ｃ断面図である。
【図７】図７は、第１実施形態の変形例に係る保持具の正面図である。
【図８】図８は、第２実施形態に係るコルゲートチューブ保持具の斜視図である。
【図９】図９は、第２実施形態に係る保持具の一部を示す模式図であって、図９（ａ）は平面図、図９（ｂ）は図９（ａ）におけるＤ−Ｄ断面図である。
【図１０】図１０は、第２実施形態に係る保持具へコルゲートチューブを取り付ける状態を示す図であって、図１０（ａ）は平面図、図１０（ｂ）は図１０（ａ）におけるＥ−Ｅ断面図である。
【図１１】図１１は、第２実施形態の第１変形例に係る保持具の一部を示す模式図であって、図１１（ａ）は平面図、図１１（ｂ）は図１１（ａ）におけるＦ−Ｆ断面図である。
【図１２】図１２は、第２実施形態の第２変形例に係る保持具の軸線方向における断面図である。
【図１３】図１３は、第３実施形態に係る保持具付きコルゲートチューブに用いられる保持具の概略図である。
【図１４】図１４は、第３実施形態に係る保持具付きコルゲートチューブに用いられるコルゲートチューブの概略図である。
【図１５】図１５は、図１３に示すコルゲートチューブに図１４に示す保持具の保持片が取り付けられた様子を説明する概略図である。
【発明を実施するための形態】
【００２４】
以下、図面を参照しながら、本発明に係るコルゲートチューブ保持具及び保持具付きコルゲートチューブの実施の形態について説明する。
【００２５】
なお、後述する第１実施形態および第２実施形態がコルゲートチューブ保持具に係る実施形態であり、第３実施形態が保持具付きコルゲートチューブに係る実施形態である。
【００２６】
＜第１実施形態＞
図１（ａ）〜図１（ｃ）に示すように、第１実施形態に係るコルゲートチューブ保持具（以下「保持具１００」という。）は、第１保持部材（下側保持部材）１１０、第２保持部材（上側保持部材）１２０、及び、保持片１３０、を有している。保持具１００は、コルゲートチューブ１０を保持するための保持具である。コルゲートチューブ１０は、円筒状の形状を有している。
【００２７】
なお、保持具１００は、例えば、車両用のワイヤハーネスを製造する際に用いられ得る。具体的には、ワイヤハーネスを構成する電線等を必要に応じてコルゲートチューブ１０の中空部に挿通した後、そのコルゲートチューブ１０を保持具１００によって保持するように、用いられ得る。保持具１００は、ワイヤハーネスを車両の所定箇所に固定するため等に用いられる。
【００２８】
コルゲートチューブ１０は、周方向の一か所において軸線方向に延びるスリット１１を有している。コルゲートチューブ１０は、周方向に延びる複数の凹部１２と凸部１３とが軸線方向に交互に形成された蛇腹形状を有している。これにより、コルゲートチューブ１０は、その内周面に、外周面の凸部１３に対応する位置に周方向に延びる凹部１４を有し、外周面の凹部１２に対応する位置に周方向に延びる凸部１５を有している。コルゲートチューブ１０は、軟質な合成樹脂等から成形されている。
【００２９】
図２〜図４に示すように、第１保持部材（下側保持部材）１１０には、第２保持部材（上側保持部材）１２０が被せられるように組み付けられる。下側保持部材１１０に上側保持部材１２０を組み付けることにより、コルゲートチューブ１０を収容するための収容空間Ｓが画成される。コルゲートチューブ１０は、その端部が収容空間Ｓに収容されるように保持される。
【００３０】
下側保持部材１１０は、正面部１１１、底面部１１２及び側面部１１３を有している。側面部１１３は、底面部１１２の両側縁から上方へ延在されている。下側保持部材１１０は、その内周面から収容空間Ｓに向けて突出する複数のリブ（凸部）１１４を有している。リブ１１４は、コルゲートチューブ１０の外周面に形成された凹部１２に対応するように、凹部１２のピッチと同一または凹部１２のピッチの整数倍の間隔をあけて配置されている。リブ１１４の内縁部は、コルゲートチューブ１０の外周面の凹部１２における曲率半径と略同一の曲率半径の円弧状に形成されている。下側保持部材１１０の側面部１１３の外面側には、係止片１１５が形成されている。
【００３１】
上側保持部材１２０は、正面部１２１、上面部１２２及び側面部１２３を有している。側面部１２３は、上面部１２２の両側縁から下方へ延在されている。上側保持部材１２０の側面部１２３の外面側には、係止爪１２５が形成されている。係止爪１２５は、下側保持部材１１０に対して上側保持部材１２０を被せるように装着する際、下側保持部材１１０の係止片１１５を係止する。そして、係止片１１５に対して係止爪１２５が係止することにより、下側保持部材１１０に上側保持部材１２０が組み付けられた状態が維持される。更に、上側保持部材１２０には、正面部１２１と反対側の一端に、位置決め片１２６が形成されている。なお、上側保持部材１２０の上面部１２２には、上側保持部材１２０と保持片１３０とを一体成形する際のアンダーカット対策用の抜き穴１２７が形成されている。
【００３２】
保持片１３０は、上側保持部材１２０の上面部１２２から収容空間Ｓ内に突出するように設けられている（本例においては、保持片１３０は上側保持部材１２０と一体成形されている。）。具体的には、保持片１３０は、第１板部１３１及び第２板部１３２を有している。第１板部１３１は、収容空間Ｓの軸線方向に延びる平板状に形成されている。第２板部１３２は、第１板部１３１に交差する方向に（図２においては左右方向に）第１板部１３１から突出している。保持片１３０は、第１板部１３１が上側保持部材１２０の上面部１２２に繋がるように形成されている。これにより、保持片１３０は、収容空間Ｓの軸線方向に移動不能とされている。
【００３３】
次いで、保持具１００によってコルゲートチューブ１０を保持するための各工程について説明する。
【００３４】
図１（ａ）に示すように、上側保持部材１２０と下側保持部材１１０とが分離した状態にて、図１（ｂ）及び図５（ａ）（ｂ）に示すように、コルゲートチューブ１０を軸線方向（図１（ｂ）及び図５（ｂ）の矢印Ａ方向）へスライドさせ、コルゲートチューブ１０のスリット１１に第１板部１３１を挿入し且つコルゲートチューブ１０の内側に第２板部１３２を配置するように、保持片１３０にコルゲートチューブ１０を取り付ける。このとき、コルゲートチューブ１０の端部が上側保持部材１２０の位置決め片１２６に当接され、コルゲートチューブ１０が軸線方向において位置決めされる。図５（ａ）は、この状態における保持片１３０及びコルゲートチューブ１０を、正面から見た概略図である。
【００３５】
次いで、図１（ｃ）及び図６（ａ）（ｂ）に示すように、保持片１３０にコルゲートチューブ１０が取り付けられた上側保持部材１２０を、下方に配置された下側保持部材１１０に向けて（図６（ａ）（ｂ）の矢印Ｂ方向へ）移動させ、コルゲートチューブ１０を上側保持部材１２０と下側保持部材１１０とによって挟んだ（収容した）状態にて、上側保持部材１２０の係止爪１２５を下側保持部材１１０の係止片１１５に係止させる。これにより、コルゲートチューブ１０は、下側保持部材１１０と上側保持部材１２０とから形成された収容空間Ｓ内に収容される。
【００３６】
このとき、コルゲートチューブ１０の外周側の凹部１２に下側保持部材１１０のリブ１１４が入り込む。これにより、コルゲートチューブ１０は、その端部が、収容空間Ｓに収容され、且つ、下側保持部材１１０のリブ１１４によって軸線方向に移動不能に保持されることになる。
【００３７】
以上に説明したように、第１実施形態に係る保持具１００によれば、下側保持部材１１０と上側保持部材１２０とが分離した状態にて保持片１３０にコルゲートチューブ１０を取り付けた後、上側保持部材１２０と保持片１３０とを一緒に下側保持部材１１０に組み付けることができる。そのため、下側保持部材１１０のリブ１１４等とコルゲートチューブ１０との干渉を考慮することなく、保持片１３０をコルゲートチューブ１０に取り付けられる。更に、下側保持部材１１０と上側保持部材１２０とを組み付けることにより、コルゲートチューブ１０を収容空間Ｓに収容すると共に、リブ１１４によってコルゲートチューブ１０を保持できる。よって、コルゲートチューブ１０への保持具１００の容易な取り付け及びコルゲートチューブ抜けの防止を両立できる。
【００３８】
更に、保持片１３０の位置を調整することにより、保持具１００に装着した状態でのコルゲートチューブ１０のスリット１１の位置（開口方向）を任意に調整できる。例えば、保持具１００を車両等に固定した際にコルゲートチューブ１０のスリット１１が上向きに開口しない（例えば、横向き又は下向きに開口する）ようにすれば、異物がスリット１１を通じてコルゲートチューブ１０内に入ることを防止できる。
【００３９】
＜第１実施形態の変形例＞
次いで、第１実施形態に係る保持具１００の変形例について説明する。
【００４０】
図７に示すように、変形例に係る保持具１００Ａでは、上側保持部材１２０と下側保持部材１１０とがヒンジ部１４０によって繋がれている。ヒンジ部１４０は、上側保持部材１２０の上面部１２２の一方側の側縁と、下側保持部材１１０の一方側の側面部１１３の上端とを繋いでいる。これにより、上側保持部材１２０と下側保持部材１１０は、ヒンジ部１４０を中心として回動可能に連結されて一体化されている。変形例では、上側保持部材１２０の係止爪１２５は、ヒンジ部１４０と反対側の側面部１２３に形成され、下側保持部材１１０の係止片１１５は、ヒンジ部１４０と反対側の側面部１１３に形成されている。
【００４１】
保持具１００Ａでは、上側保持部材１２０にコルゲートチューブ１０を取り付けた後、上側保持部材１２０とコルゲートチューブ１０とを一緒にヒンジ部１４０を中心に下側保持部材１１０に向けて（図７の矢印Ｃ方向へ）回転移動させ、コルゲートチューブ１０を保持具１００Ａの内側の収容空間Ｓに収容できる。これにより、ヒンジ部１４０を有さない場合（上側保持部材１２０と下側保持部材１１０とが互いに独立した別部材の場合）に比べ、上側保持部材１２０と下側保持部材１１０との位置合わせが容易になる。よって、コルゲートチューブ１０に保持具１００Ａを取り付ける作業が更に容易になる。
【００４２】
＜第２実施形態＞
次いで、第２実施形態について説明する。図８及び図９に示すように、第２実施形態に係るコルゲートチューブ保持具（以下「保持具２００」という。）は、主として上側保持部材（第２保持部材）２２０に設けられる開口部２２７の形態において、第１実施形態の保持具１００と相違する。
【００４３】
具体的には、図８に示すように、保持具１００と同様、保持具２００の下側保持部材（第１保持部材）２１０には、上側保持部材（第２保持部材）２２０が被せられるように組み付けられる。下側保持部材２１０に上側保持部材２２０を組み付けることにより、コルゲートチューブ１０を収容するための円柱状の収容空間Ｓが画成される。コルゲートチューブ１０は、その端部が収容空間Ｓに収容されるように保持される。
【００４４】
下側保持部材２１０は、正面部２１１、底面部２１２及び側面部２１３を有している。側面部２１３は、底面部２１２の両側縁から上方へ延在されている。下側保持部材２１０は、その内周面から収容空間Ｓに向けて突出する複数のリブ（凸部）２１４を有している。リブ２１４は、コルゲートチューブ１０の外周面に形成された凹部１２に対応するように、凹部１２のピッチと同一または凹部１２のピッチの整数倍の間隔をあけて配置されている。リブ２１４は、その内縁部が、コルゲートチューブ１０の外周面の凹部１２における曲率半径と略同一の曲率半径の円弧状に形成されている。なお、下側保持部材２１０の側面部２１３の外面側には、第１実施形態に係る保持具１００と同様の係止片２１５が形成されている。
【００４５】
上側保持部材２２０は、正面部２２１、上面部２２２及び側面部２２３を有している。側面部２２３は、上面部２２２の両側縁から下方へ延在されている。上側保持部材２２０の側面部２２３の外面側には、第１実施形態に係る保持具１００と同様の係止爪２２５が形成されている。係止爪２２５は、下側保持部材２１０に対して上側保持部材２２０を被せるように装着する際、下側保持部材２１０の係止片２１５を係止する。そして、係止片２１５に対して係止爪２２５が係止することにより、下側保持部材２１０に上側保持部材２２０が組み付けられた状態が維持される。
【００４６】
保持片２３０は、上側保持部材２２０の上面部２２２から収容空間Ｓ内に突出するように設けられている（本例においては、保持片２３０は上側保持部材２２０と一体成形されている。）。具体的には、保持片２３０は、第１板部２３１及び第２板部２３２を有している。第１板部２３１は、収容空間Ｓの軸線方向に延びる平板状に形成されている。第２板部２３２は、第１板部２３１に交差する方向に（図２においては右方向に）第１板部２３１から片側に突出している。保持片２３０は、第１板部２３１が上側保持部材２２０の上面部２２２に繋がるように形成されている。
【００４７】
上側保持部材２２０は、収容空間Ｓの内側に向けて突出する保持片２３０を有している。保持片２３０は、上側保持部材２２０の上面部２２２に形成されている。保持片２３０は、第２板部２３２と、第２板部２３２とを有している。第１板部２３１は、軸線方向に延びる平板状に形成されている。第２板部２３２は、第１板部２３１に交差する方向に第１板部２３１から片側へ突出されている。
【００４８】
第２板部２３２の上面（上側保持部材２２０の上面部２２２の内周面に向かい合う面）の色は、コルゲートチューブ１０と異なる色とされている。上側保持部材２２０は、上面部２２２に、開口部２２７を有している。開口部２２７は、第２板部２３２に沿って収容空間Ｓの軸線方向に延びている。上側保持部材２２０では、開口部２２７を通じて第２板部２３２（特に、上述したコルゲートチューブ１０と色が異なる面）が視認可能となっている。上側保持部材２２０には、正面部２２１と反対側の一端に、位置決め片２２６が形成されている。なお、開口部２２７は、上側保持部材２２０の上面部２２２に開口部２２７を一体成形する際のアンダーカット対策用の抜き穴も兼ねている。
【００４９】
次いで、保持具２００にコルゲートチューブ１０を保持するための各工程について説明する。
【００５０】
上側保持部材２２０と下側保持部材２１０とが分離した状態にて、図１０に示すように、コルゲートチューブ１０を軸線方向へスライドさせ、コルゲートチューブ１０のスリット１１に第１板部２３１を挿入し且つコルゲートチューブ１０の内側に第２板部２３２を配置するように、保持片２３０にコルゲートチューブ１０を取り付ける。このとき、コルゲートチューブ１０の端部が上側保持部材２２０の位置決め片２２６に当接されることにより、コルゲートチューブ１０が軸線方向へ位置決めされる。
【００５１】
ここで、作業者は、上側保持部材２２０に設けた開口部２２７から保持具２００の内側を視認することで、コルゲートチューブ１０の有無およびその挿入量を確認できる。
【００５２】
次いで、保持片２３０にコルゲートチューブ１０が取り付けられた上側保持部材２２０を、下方に配置された下側保持部材２１０方向へ移動させ、コルゲートチューブ１０を上側保持部材２２０と下側保持部材２１０とによって挟んだ（収容した）状態にて、上側保持部材２２０の係止爪２２５を下側保持部材２１０の係止片２１５に係止させる。これにより、コルゲートチューブ１０は、下側保持部材２１０と上側保持部材２２０とから形成された収容空間Ｓ内に収容される。
【００５３】
このとき、コルゲートチューブ１０の外周側の凹部１２に下側保持部材２１０のリブ２１４が入り込む。これにより、コルゲートチューブ１０は、その端部が、収容空間Ｓに収容され、且つ、下側保持部材２１０のリブ２１４によって軸線方向に移動不能に保持されることになる。
【００５４】
以上に説明したように、第２実施形態に係る保持具２００によれば、上側保持部材２２０に開口部２２７を設けたので、開口部２２７を通じて保持具２００の内側が視認可能となる。一方、コルゲートチューブ１０を保持片２３０に取り付けると（具体的には、コルゲートチューブ１０のスリット１１に第１板部２３１を挿入し且つコルゲートチューブ１０の内側に第２板部２３２を配置するように取り付けると）、第２板部２３２がコルゲートチューブ１０に隠されて開口部２２７から視認できなくなる。換言すると、開口部２２７を通じてコルゲートチューブ１０の有無（ひいては、コルゲートチューブ１０の保持具２００内への挿入量）を確認できる。よって、コルゲートチューブ抜けをより確実に防止できる。
【００５５】
更に、第２板部２３２は、上側保持部材２２０の上面部２２２の内壁面に向かい合う面の色がコルゲートチューブ１０と異なる色とされているので、開口部２２７からの目視により、コルゲートチューブ１０の有無及び挿入量を容易に確認できる。なお、上側保持部材２２０の上面部２２２の内壁面に向かい合う面だけでなく、第２板部２３２の全体の色をコルゲートチューブ１０の色と異ならせても良い。
【００５６】
＜第２実施形態の変形例＞
次いで、第２実施形態に係る保持具２００の変形例（第１変形例、第２変形例）について説明する。
【００５７】
図１１に示すように、第１変形例に係る保持具２００Ａでは、保持片２３０の第２板部２３２は、第１板部２３１を挟んで逆方向に突出する２つの第２板部２３２Ａ，２３２Ｂを有している。第２板部２３２Ａ，２３２Ｂは、上側保持部材２２０の上面部２２２の内壁面に向かい合う面の色が、互いに異なる色とされている。更に、上側保持部材２２０は、上面部２２２に、開口部２２７Ａ及び開口部２２７Ｂを有している。開口部２２７Ａ及び開口部２２７Ｂは、第１板部２３１の両側にそれぞれ形成されており、それぞれ保持片２３０に沿って延在されている。開口部２２７Ａは、第２板部２３２Ａに対応する位置に形成され、開口部２２７Ｂは、第２板部２３２Ｂに対応する位置に形成されている。
【００５８】
第１変形例に係る保持具２００Ａでは、一方の開口部２２７Ａを通じて一方の第２板部２３２Ａを視認可能であり、他方の開口部２２７Ｂを通じて他方の第２板部２３２Ｂを視認可能となる。２つの第２板部２３２Ａ，２３２Ｂの視認される側の面（上側保持部材２２０の内周面に向かい合う面）は色が異なるため、仮に一方の第２板部２３２Ａの色がコルゲートチューブ１０と同じであっても、他方の第２板部２３２Ｂの色がコルゲートチューブ１０と異なることになる。
【００５９】
よって、コルゲートチューブ１０の色にかかわらず、コルゲートチューブ１０の有無（ひいては、コルゲートチューブ１０の保持具２００Ａ内への挿入量）を確認でき、コルゲートチューブ抜けをより確実に防止できる。
【００６０】
図１２に示すように、第２変形例に係る保持具２００Ｂは、保持片２３０の第２板部２３２に光を反射可能な光反射層２３３を備えている。光反射層２３３は、例えば、蛍光塗料の塗布、及び、金属膜等の付着などにより、形成し得る。光反射層２３３は、第２板部２３２における上側保持部材２２０の内壁面に向かい合う面に設けられている。
【００６１】
第２変形例に係る保持具２００Ｂでは、光学式の挿入判定装置Ｍを用いてコルゲートチューブ１０の有無を判定する。挿入判定装置Ｍは、発光素子からなる光源Ｍ１と、受光素子からなる光センサＭ２とを備えている。
【００６２】
挿入判定装置Ｍは、保持具２００Ｂの上方に配置される。そして、この挿入判定装置Ｍの光源Ｍ１から発せられたレーザ光Ｌが保持具２００Ｂの開口部２２７を通じて保持片２３０の第２板部２３２へ向けて照射される。このとき、保持具２００Ｂにコルゲートチューブ１０が挿入されていない場合、及び、挿入量が少ない場合には、第２板部２３２へ向けて照射されたレーザ光Ｌが第２板部２３２の光反射層２３３で反射して光センサＭ２で受光される。一方、保持具２００Ｂにコルゲートチューブ１０が確実に挿入されていると、第２板部２３２へ向けて照射されたレーザ光Ｌがコルゲートチューブ１０に当たるため、光センサＭ２での受光量が減少する。したがって、光センサＭ２での受光量から、保持具２００Ｂにおけるコルゲートチューブ１０の挿入の有無（ひいては、コルゲートチューブ１０の保持具２００Ｂへの挿入量）の確認を機械的に自動で検知することができる。
【００６３】
＜第３実施形態＞
次いで、第３実施形態について説明する。第３実施形態は、コルゲートチューブ保持具（以下「保持具３００」という。）と、コルゲートチューブ（以下「コルゲートチューブ３０」という。）と、を備えた保持具付きコルゲートチューブに係る実施形態である。
【００６４】
図１３に示すように、保持具３００は、主として下側保持部材３１０に設けられる保持片３３０の形態において、第１実施形態の保持具１００と相違する。
【００６５】
具体的には、図１３に示すように、第１保持部材（下側保持部材）３１０には、第２保持部材（上側保持部材）３２０が被せられるように組み付けられる。下側保持部材３１０に上側保持部材３２０を組み付けることにより、コルゲートチューブ３０（図１４を参照。詳細は後述される。）を収容するための収容空間Ｓが画成される。コルゲートチューブ３０は、その端部が収容空間Ｓに収容されるように保持される。
【００６６】
下側保持部材３１０は、正面部３１１、底面部３１２及び側面部３１３を有している。側面部３１３は、底面部３１２の両側縁から上方へ延在されている。下側保持部材３１０は、その内周面から収容空間Ｓに向けて突出する複数のリブ（凸部）３１４を有している。リブ３１４は、コルゲートチューブ３０の外周面に形成された凹部３２に対応するように、凹部３２のピッチと同一または凹部３２のピッチの整数倍の間隔をあけて配置されている。リブ３１４の内縁部は、コルゲートチューブ３０の外周面の凹部３２における曲率半径と略同一の曲率半径の円弧状に形成されている。下側保持部材３１０の側面部３１３の外面側には、係止片３１５が形成されている。
【００６７】
上側保持部材３２０は、正面部３２１、上面部３２２及び側面部３２３を有している。側面部３２３は、上面部３２２の両側縁から下方へ延在されている。上側保持部材３２０の側面部３２３の外面側には、係止爪３２５が形成されている。係止爪３２５は、下側保持部材３１０に対して上側保持部材３２０を被せるように装着する際、下側保持部材３１０の係止片３１５を係止する。そして、係止片３１５に対して係止爪３２５が係止することにより、下側保持部材３１０に上側保持部材３２０が組み付けられた状態が維持される。更に、上側保持部材３２０には、正面部３２１と反対側の一端に、位置決め片３２６が形成されている。なお、上側保持部材３２０の上面部３２２には、上側保持部材３２０と保持片３３０とを一体成形する際のアンダーカット対策用の抜き穴（図示省略）が形成されている。
【００６８】
保持片３３０は、上側保持部材３２０の上面部３２２から収容空間Ｓ内に突出するように設けられている（本例においては、保持片３３０は上側保持部材３２０と一体成形されている。）。具体的には、保持片３３０は、第１板部３３１、第２板部３３２、及び、傾斜突起部３３３を有している。第１板部３３１は、収容空間Ｓの軸線方向に延びる平板状に形成されている。第２板部３３２は、第１板部３３１に交差する方向に（図２においては左右方向に）第１板部３３１から突出している。第２板部３３２は、第１板部３３１が延びる方向（軸線方向）に沿って第１板部３３１からの突出量が徐々に大きくなる形状（換言すると、略三角形の形状）を有するように第１板部３３１から突出している。
【００６９】
なお、第２板部３３２は、必ずしも上述した形状（略三角形の形状）を有する必要はなく、第１実施形態の保持片１３０の第２板部１３２と同様の形状（略長方形の形状）を有してもよい。
【００７０】
保持片３３０は、第１板部３３１が上側保持部材３２０の上面部３２２に繋がるように形成されている。これにより、第１実施形態に係る保持具１００と同様、保持片３３０は、収容空間Ｓの軸線方向に移動不能とされている。
【００７１】
傾斜突起部３３３は、第１板部３３１が延びる方向（軸線方向）に沿って第１板部３３１からの距離が徐々に大きくなる傾斜面を有するように第１板部３３１から突出している。換言すると、傾斜突起部３３３は、略三角形のくさび状の形状を有している。別の言い方をすると、傾斜突起部３３３は、下側保持部材３１０の正面部３１１から離れる向き（即ち、コルゲートチューブ３０が挿入される向き）において徐々に突出量が増える傾斜面を有している。
【００７２】
なお、図１３において、傾斜突起部３３３は第１板部３３１の手前側にのみ示されているが、第１板部３３１の奥側にも同様の形状の傾斜突起部３３３が設けられている。
【００７３】
本例において、保持片３３０は、第１実施形態に係る保持具１００と同様、コルゲートチューブ３０の位置決め片３２６を有している。しかし、コルゲートチューブ３０の位置決めに求められる精度によっては、必ずしも位置決め片３２６を設ける必要はない。これは、傾斜突起部３３３の傾斜面が、位置決め片と同等の機能を有するためである。但し、位置決め片３２６が無い場合には位置決め片３２６を設ける場合に比べて位置決めの精度が下がる可能性があるため、高精度での位置決めが求められる際には位置決め片３２６を設けることが好ましい。
【００７４】
図１４に示すように、コルゲートチューブ３０は、端部（図１４の右方の端部）において、スリット３１の幅が広がったスリット拡大部３６を有する点において、第１実施形態のコルゲートチューブ１０と相違する。
【００７５】
具体的には、コルゲートチューブ３０は、周方向の一か所において軸線方向（長さ方向）に延びるスリット３１を有している。コルゲートチューブ３０は、周方向に延びる複数の凹部３２と凸部３３とが軸線方向に交互に形成された蛇腹形状を有している。これにより、コルゲートチューブ３０は、その内周面に、外周面の凸部３３に対応する位置に周方向に延びる凹部３４を有し、外周面の凹部３２に対応する位置に周方向に延びる凸部３５を有している。
【００７６】
コルゲートチューブ３０の端部に形成されたスリット拡大部３６は、保持片３３０の傾斜突起部３３３の傾斜面に対応するように広がった形状を有する。スリット拡大部３６は、例えば、第１実施形態のコルゲートチューブ１０からスリット拡大部３６に相当する部分を切り取ることによって形成されてもよく、スリット拡大部３６を最初から有するようにコルゲートチューブ３０を製造することによって形成されてもよい。図１４から理解されるように、スリット拡大部３６は、スリット３１を中心としてスリット３１の幅方向に広がる切欠き部、とも表現し得る。
【００７７】
図１５に示すように、コルゲートチューブ３０と保持具３００とが組み付けられるとき、スリット拡大部３６に保持片３３０の傾斜突起部３３３が挟まれるように、傾斜突起部３３３がスリット拡大部３６に挿入される。このとき、スリット拡大部３６の両端面と、傾斜突起部３３３の傾斜面と、は互いに当接することになる（詳細は後述される。）。
【００７８】
次いで、保持具３００によってコルゲートチューブ３０を保持するための各工程について説明する。
【００７９】
図１３に示すように、上側保持部材３２０と下側保持部材３１０とが分離した状態にて、コルゲートチューブ３０のスリット拡大部３６に傾斜突起部３３３を挿入し且つコルゲートチューブ３０の内周側に第２板部３３２を配置するように、保持片３３０にコルゲートチューブ３０を取り付ける。このとき、コルゲートチューブ３０は、傾斜突起部３３３の傾斜面に案内され、スリット拡大部３６の両端面と傾斜突起部３３３の傾斜面とが当接するまで挿入される。なお、このとき、コルゲートチューブ３０の端部が上側保持部材３２０の位置決め片３２６に当接され、コルゲートチューブ３０が軸線方向において位置決めされる。
【００８０】
その後、第１実施形態に係る保持具１００と同様、保持片３３０にコルゲートチューブ３０が取り付けられた上側保持部材３２０を、下方に配置された下側保持部材３１０に向けて移動させ、コルゲートチューブ３０を上側保持部材３２０と下側保持部材３１０とによって挟んだ（収容した）状態にて、上側保持部材３２０の係止爪３２５を下側保持部材３１０の係止片３１５に係止させる。これにより、コルゲートチューブ３０は、下側保持部材３１０と上側保持部材３２０とから形成された収容空間Ｓ内に収容される。
【００８１】
このとき、コルゲートチューブ３０の外周側の凹部３２に下側保持部材３１０のリブ３１４が入り込む。これにより、コルゲートチューブ３０は、その端部が、収容空間Ｓに収容され、且つ、下側保持部材３１０のリブ３１４によって軸線方向に移動不能に保持されることになる。
【００８２】
その結果、本実施形態に係る保持具付きコルゲートチューブが得られる。なお、この保持具付きコルゲートチューブは、例えば、図１（ｃ）に示すような外観を有している。
【００８３】
以上に説明したように、第３実施形態に係る保持具３００によれば、下側保持部材３１０と上側保持部材３２０とが分離した状態にて保持片３３０にコルゲートチューブ３０を取り付けた後、上側保持部材３２０と保持片３３０とを一緒に下側保持部材３１０に組み付けることができる。そのため、下側保持部材３１０のリブ３１４等とコルゲートチューブ３０との干渉を考慮することなく、保持片３３０をコルゲートチューブ３０に取り付けられる。
【００８４】
更に、このとき、コルゲートチューブ３０のスリット拡大部３６に保持具３００の傾斜突起部３３３を挿入するように取り付けを行えば、コルゲートチューブ３０が傾斜突起部３３３の傾斜面に案内されるため、取り付けが容易になる。
【００８５】
更に、下側保持部材３１０と上側保持部材３２０とを組み付けることにより、コルゲートチューブ３０を収容空間Ｓに収容すると共に、リブ３１４によってコルゲートチューブ３０を保持できる。
【００８６】
よって、コルゲートチューブ３０への保持具３００の容易な取り付け及びコルゲートチューブ抜けの防止を両立できる。
【００８７】
ところで、第３実施形態に係る保持具付きコルゲートチューブに用いられる保持具３００について、第１実施形態の変形例と同様、上側保持部材３２０と下側保持部材３１０とをヒンジ部によって繋いでもよい。これにより、ヒンジ部を有さない場合（上側保持部材３２０と下側保持部材３１０とが互いに独立した別部材の場合）に比べ、上側保持部材３２０と下側保持部材３１０との位置合わせが容易になる。よって、コルゲートチューブ３０に保持具３００を取り付ける作業が更に容易になる。
【００８８】
更に、第２実施形態と同様、上側保持部材３２０の上面部３２２に、コルゲートチューブ３０の挿入量を視認するための開口部を傾斜突起部３３３に沿って延びるように設けてもよい。更に、第２実施形態と同様、第２板部３３２の上面（上側保持部材３２０の上面部３２２の内周面に向かい合う面）の色は、コルゲートチューブ３０と異なる色とされてもよい。これにより、作業者は、上側保持部材３２０に設けた開口部から保持具３００の内側を視認することで、コルゲートチューブ３０の有無およびその挿入量を確認できることになる。
【００８９】
更に、第２実施形態の第１変形例と同様、第１板部３３１の両側に延びる第２板部３３２について、一方の第２板部３３２が上側保持部材３２０の上面部３２２の内壁面に向かい合う面の色と、他方の第２板部３３２が上側保持部材３２０の上面部３２２の内壁面に向かい合う面の色とが、互いに異なる色とされてもよい。更に、上側保持部材３２０は、上面部３２２に、第１板部３３１の両側に傾斜突起部３３３に沿って延びる２つの開口部を設けてもよい。これにより、コルゲートチューブ３０の色にかかわらず、コルゲートチューブ３０の有無（ひいては、コルゲートチューブ３０の保持具３００内への挿入量）を確認でき、コルゲートチューブ抜けをより確実に防止できる。
【００９０】
加えて、第２実施形態の第２変形例と同様、保持片３３０の第２板部３３２における上側保持部材３２０の内壁面に向かい合う面に、光を反射可能な光反射層を設けてもよい。これにより、第２実施形態の第２変形例と同様の挿入判定装置Ｍの光源Ｍ１から発せられたレーザ光Ｌを、保持具３００の開口部を通じて保持片３３０の第２板部３３２へ向けて照射し、光センサＭ２での受光量から、保持具３００におけるコルゲートチューブ３０の挿入の有無（ひいては、コルゲートチューブ３０の保持具３００への挿入量）の確認を機械的に自動で検知することができる。
【００９１】
なお、本発明は上記各実施形態に限定されることはなく、本発明の範囲内において種々の変形例を採用することができる。即ち、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００９２】
例えば、上述した各実施形態では、それぞれ別体の下側保持部材と上側保持部材とから構成された保持部材を備えたものを例示している。しかし、保持部材は、下側保持部材と上側保持部材とをヒンジ等によって連結した一体構造を有してもよい。
【００９３】
ここで、上述した本発明に係るコルゲートチューブ保持具の実施形態の特徴をそれぞれ以下（１）〜（５）に簡潔に纏めて列記する。
（１）（主に、図１〜６を参照。）
コルゲートチューブ（１０）を保持するための保持具（１００）であって、
コルゲートチューブを収容する空間（Ｓ）を画成可能な複数の保持部材（１１０，１２０）と、
前記空間の軸線方向に延びる第１板部（１３１）、及び、前記第１板部に交差する方向に前記第１板部から突出する第２板部（１３２）、を有する保持片（１３０）と、を備え、
前記複数の保持部材（１１０，１２０）は、
コルゲートチューブを前記空間の軸線方向に移動不能に保持可能な保持構造（１１４）を有する第１保持部材（１１０）、及び、前記保持構造を有さない第２保持部材（１２０）、を含み、
前記保持片（１３０）は、
前記第２保持部材（１２０）から前記空間内に突出し且つ前記第２保持部材に前記第１板部（１３１）が繋がるように設けられた、
コルゲートチューブ保持具。
（２）（主に、図７を参照。）
上記（１）に記載のコルゲートチューブ保持具であって、
前記第１保持部材（１１０）と前記第２保持部材（１２０）を繋ぐヒンジ部（１４０）を更に備えた、
コルゲートチューブ保持具。
（３）（主に、図８〜１０を参照。）
上記（１）又は上記（２）に記載のコルゲートチューブ保持具において、
前記第２保持部材（２２０）が、
前記保持片の前記第２板部（２３２）に沿って前記空間の軸線方向に延びる開口部（２２７）を有する、
コルゲートチューブ保持具。
（４）（主に、図１１を参照。）
上記（３）に記載のコルゲートチューブ保持具において、
前記保持片（２３０）が、
前記第１板部（２３１）を挟んで逆方向に突出する２つの前記第２板部（２３２Ａ，２３２Ｂ）であって、前記第２保持部材（２２０）の内壁面に向かい合う面の色が互いに異なる２つの前記第２板部（２３２Ａ，２３２Ｂ）、を有し、
前記第２保持部材（２２０）が、
一方の前記第２板部に対応する開口部（２２７Ａ）と、他方の前記第２板部に対応する開口部（２２７Ｂ）と、を有する、
コルゲートチューブ保持具。
（５）（主に、図１２を参照。）
上記（３）に記載のコルゲートチューブ保持具において、
前記保持片（２３０）が、
前記第２保持部材（２２０）の内壁面に向かい合う面に光を反射可能な光反射層（２３３）を有する前記第２板部（２３２）を有する、
コルゲートチューブ保持具。
【００９４】
更に、上述した本発明に係る実施形態（保持具付きコルゲートチューブ）の特徴を、以下（６）に簡潔に纏めて列記する。
（６）（主に、図１３〜１５を参照。）
コルゲートチューブ（３０）と、前記コルゲートチューブを保持するための保持具（３００）と、を備えた保持具付きコルゲートチューブであって、
前記保持具（３００）は、
前記コルゲートチューブを収容する空間を画成可能な複数の保持部材（３１０，３２０）と、
前記空間の軸線方向に延びる第１板部（３３１）、前記第１板部に交差する方向に前記第１板部から突出する第２板部（３３２）、及び、前記第１板部が延びる方向に沿って前記第１板部からの距離が徐々に大きくなる傾斜面を有するように前記第１板部から突出する傾斜突起部（３３３）、を有する保持片（３３０）と、を備え、
前記コルゲートチューブ（３０）は、
該コルゲートチューブの長さ方向に沿ったスリット（３１）と、
該コルゲートチューブの端部において前記スリットが前記傾斜突起部（３３３）の傾斜面に対応する形状を有するように広がったスリット拡大部（３６）と、を備え、
前記複数の保持部材（３１０，３２０）は、
前記コルゲートチューブを前記空間の軸線方向に移動不能に保持可能な保持構造（３１４）を有する第１保持部材（３１０）、及び、前記保持構造を有さない第２保持部材（３２０）、を含み、
前記保持片（３３０）は、
前記第２保持部材（３２０）から前記空間内に突出し且つ前記第２保持部材に前記第１板部（３３１）が繋がるように設けられる、
と共に、
前記コルゲートチューブの前記スリット拡大部（３６）に前記保持片の前記傾斜突起部（３３３）が挟まれた状態にて、前記コルゲートチューブ（３０）が前記保持具（３００）に保持される、
保持具付きコルゲートチューブ。
【００９５】
更に、上述した本発明に係る実施形態の他の特徴（保持具付きコルゲートチューブの製造方法の特徴）を、以下［７］に簡潔に纏めて列記する。
［７］（主に、図１〜７を参照。）
コルゲートチューブ（１０）とコルゲートチューブ保持具（１００）とを備えた保持具付きコルゲートチューブの製造方法であって、
前記コルゲートチューブ保持具（１００）は、前記コルゲートチューブを収容する空間（Ｓ）を画成可能な複数の保持部材（１１０，１２０）と、前記空間の軸線方向に延びる第１板部（１３１）、及び、前記第１板部に交差する方向に前記第１板部から突出する第２板部（１３２）、を有する保持片（１３０）と、を備え、
前記複数の保持部材（１１０，１２０）は、前記コルゲートチューブを前記空間の軸線方向に移動不能に保持可能な保持構造（１１４）を有する第１保持部材（１１０）、及び、前記保持構造を有さない第２保持部材（１２０）、を含み、
前記保持片（１３０）は、前記第２保持部材（１２０）から前記空間内に突出し且つ前記第２保持部材に前記第１板部（１３１）が繋がるように設けられ、
該製造方法は、
前記第１保持部材（１１０）と前記第２保持部材（１２０）とが分離した状態にて、前記コルゲートチューブのスリット（１１）に前記第１板部（１３１）を挿入し且つ前記コルゲートチューブの内側に前記第２板部（１３２）を配置するように、前記保持片（１３０）に前記コルゲートチューブを取り付ける工程と、
前記第１保持部材（１１０）を前記第２保持部材（１２０）に取り付ける工程と、
前記保持構造（１１４）によって前記コルゲートチューブを保持する工程と、
を含む、
保持具付きコルゲートチューブの製造方法。
【符号の説明】
【００９６】
１０，３０：コルゲートチューブ
１１：      スリット
１００：    コルゲートチューブ保持具（保持具）
１１０，１２０：保持部材
１３０：    保持片
１３１：    第１板部
１３２：    第２板部
１１４：    リブ（保持構造）
Ｓ：        収容空間（空間）
【図１】
0006690924.tif 000002
【図２】
0006690924.tif 000003
【図３】
0006690924.tif 000004
【図４】
0006690924.tif 000005
【図５】
0006690924.tif 000006
【図６】
0006690924.tif 000007
【図７】
0006690924.tif 000008
【図８】
0006690924.tif 000009
【図９】
0006690924.tif 000010
【図１０】
0006690924.tif 000011
【図１１】
0006690924.tif 000012
【図１２】
0006690924.tif 000013
【図１３】
0006690924.tif 000014
【図１４】
0006690924.tif 000015
【図１５】
0006690924.tif 000016